(57)【要約】【課題】  従来技術は、被展示物（ゴルフクラブ）をまとめてロックする盗難防止装置である、また、ゴルフクラブの個々に取り付けるものですがシャフトのみに取り付け、グリップに取り付けるものではなく、かつ、共振具を有しておらず、盗難防止レベルが高くない。【解決手段】  ゴルフクラブのシャットまたはグリップに着脱自在に取り付けるゴルフクラブ用盗難防止具で、保持具取付部と共振具収納部とを設けた防止具第１ケースと保持具取付部とロック機構収納部とを設けた防止具第２ケースとを開閉可能に設けた防止具ケースと、保持具取付部内に設けた保持具本体と、保持具本体内に設けたシャフト用取付具と、共振具収納部内に設けた共振具と、ロック機構収納内に設けた可動可能なスライド具と、スライド具をロック及び解除するロック具とから構成されたことを特徴とする。【選択図】図１
2013230337.tif 000002
【特許請求の範囲】
【請求項１】
ゴルフクラブのシャットまたはグリップに着脱自在に取り付けるゴルフクラブ用盗難防止具で、保持具取付部と共振具収納部とを設けた防止具第１ケースと保持具取付部とロック機構収納部とを設けた防止具第２ケースとを開閉可能に設けた防止具ケースと、保持具取付部内に設けた保持具本体と、保持具本体内に設けたシャフト用取付具と、共振具収納部内に設けた共振具と、ロック機構収納部に設けた可動可能なスライド具と、スライド具をロック及び解除するロック具とから構成されたことを特徴とするゴルフクラブ用盗難防止具。
【請求項２】
保持具本体とシャット用取付具は弾性体とし、半円弧状に形成すると共に、シャフト用取付具を保持具本体内に着脱自在に設けてなることを特徴とする請求項１記載のゴルフクラブ用盗難防止具。
【請求項３】
共振具が共振コイルであることを特徴とする請求項１又は２記載のゴルフクラブ用盗難防止具。
【請求項４】
スライド具が、上部に押ボタンを、下部に支持ピン及び圧縮スプリングを設けると共に、側面に固定溝を形成してなることを特徴とする請求項１、２又は３記載のゴルフクラブ用盗難防止具。
【請求項５】
ロック具が、スライド具の背面に位置し、板バネにてロック及び解除すべく係止板を形設してなることを特徴とする請求項１、２、３又は４記載のゴルフクラブ用盗難防止具。
【請求項６】
支持ピンを斜状に形成し、支持ピンが挿入される孔を防止具第２ケースに穿設してなることを特徴とする請求項４又は５記載のゴルフクラブ用盗難防止具。
【請求項７】
防止具第１ケースに固定溝に係止固定する係止片を設けると共に、支持ピンを押圧する押ピンを突設してなることを特徴とする請求項４、５又は６記載のゴルフクラブ用盗難防止具。
【請求項８】
防止具第１ケースと防止第２ケースを閉じた時、支持ピンが押ピンにて押圧され、支持ピンの下端が孔の上方に位置させるが、このままではロックできないものであることを特徴とする請求項４、５、６又は７記載のゴルフクラブ用盗難防止具。
【請求項９】
請求項８の状態で、押えボタンを押すことにより、支持ピンの下部が孔に挿入されると共に、板バネによるロック具が係止溝にて固定され、固定溝に係止片が係止固定することを特徴とする請求項４、５、６、７又は８記載のゴルフクラブ用盗難防止具。
【請求項１０】
ロック具を解除するには、押ボタンを押し、係止溝から板バネの先端を解除し、ロック具の背面より強力な磁石を近づけ、圧縮リングによりスライド具を上昇させ解除できることを特徴とする請求項４、５、６，７，８又は９記載のゴルフクラブ用盗難防止具。
【発明の詳細な説明】
【技術分野】
【０００１】  本発明は、ゴルフクラブのシャフトまたはグリップに着脱自在に取り付けるゴルフクラブ用盗難防止具に関するものである。
【背景技術】
【０００２】  従来技術として、支持バーと、この支持バーの端部に設けた取付ブラケットと、上記支持バーに取り付けた又は複数の被展示物吊持ち用のフック部材とを備え、上記取付ブラケットを介して上記支持バーを展示場に保持させ、上記フック部材に上記被展示物を吊持ちさせて展示する展示装置において、上記支持バーの一端側に基端部を支点として回転自在に取り付けられる押さえフレームと、この押さえフレームの先端部に設けられるストップピンと、上記支持バーの他端側に形成されて上記ストップピンを着脱自在に挿入する孔と、上記支持バーに設けられて上記ストップピンを上記孔から抜け出ることを防止するロック機構とを設け、当該押さえフレームで上記被展示物の上下方向への抜けを防止するものがある。（特許文献１参照）【０００３】  他の従来技術としては、回動自在且つ開閉可能に連結され、ゴルフクラブのシャフトの一部分を挾持する閉鎖位置とシャフトから離間してシャフトを開放する開放位置とに亘って回動自在な一対のケース状の挾持体と、両挾持体内に設けられ、両挾持体を閉鎖位置でロック機構とから構成するものがある。（特許文献２参照）
【先行技術文献】
【特許文献】
【０００４】
【特許文献１】特開２０１１−５０４８３号公報
【特許文献２】特開平１１−１３７７３０号公報
【発明の概要】
【発明が解決しようとする課題】
【０００５】  上記前者は、被展示物（ゴルフクラブ）をまとめてロックする盗難防止装置であり、本発明のようなゴルフクラブの個々に取り付けるものとは基本的に異なるものである。【０００６】  上記後者は、ゴルフクラブの個々に取り付けるものですがシャフトのみに取り付け、本発明のようにグリップに取り付けるものではなく、かつ、共振具を有しておらず、盗難防止レベルが高くない。【０００７】  本発明は、このような従来の構成が有していた問題を解決しようとするものであり、保持具本体をシャフトあるいはグリップに取り付けることができ、共振具が例えば共振コイルであり、外へ持ち出す時、出入口のゲートで防止できると共に、スライド具とロック具の組み合わせにより、第３者が容易にロック解除することができないゴルフクラブ用盗難防止具を提供することを目的とする。
【課題を解決するための手段】
【０００８】  本発明は、上記目的を達成するため、ゴルフクラブのシャットまたはグリップに着脱自在に取り付けるゴルフクラブ用盗難防止具で、保持具取付部と共振具収納部とを設けた防止具第１ケースと保持具取付部とロック機構収納部とを設けた防止具第２ケースとを開閉可能に設けた防止具ケースと、保持具取付部内に設けた保持具本体と、保持具本体内に設けたシャフト用取付具と、共振具収納部内に設けた共振具と、ロック機構収納部に設けた可動可能なスライド具と、スライド具をロック及び解除するロック具とから構成されたこと。保持具本体とシャット用取付具は弾性体とし、半円弧状に形成すると共に、シャフト用取付具を保持具本体内に着脱自在に設けてなること。共振具が共振コイルであること。スライド具が、上部に押ボタンを、下部に支持ピン及び圧縮スプリングを設けると共に、側面に固定溝を形成してなること。ロック具が、スライド具の背面に位置し、板バネにてロック及び解除すべく係止板を形設してなること。支持ピンを斜状に形成し、支持ピンが挿入される孔を防止具第２ケースに穿設してなること。防止具第１ケースに固定溝に係止固定する係止片を設けると共に、支持ピンを押圧する押ピンを突設してなること。防止具第１ケースと防止第２ケースを閉じた時、支持ピンが押ピンにて押圧され、支持ピンの下端が孔の上方に位置させるが、このままではロックできないものであること。押えボタンを押すことにより、支持ピンの下部が孔に挿入されると共に、板バネによるロック具が係止溝にて固定され、固定溝に係止片が係止固定すること。ロック具を解除するには、押ボタンを押し、係止溝から板バネの先端を解除し、ロック具の背面より強力な磁石を近づけ、圧縮リングによりスライド具を上昇させ解除できることを特徴とする。
【発明の効果】
【０００９】１）、防止具第１ケースと防止具第２ケースとによる防止具ケースと、保持具本体と、シャフト用取付具と、共振具と、スライド具と、ロック具とにより構成することにより、ゴルフクラブ一本一本の盗難を防止することができる。
２）、保持具本体とシャフト用取付具を弾性体とし、内面を半円弧状に形成することにより、ゴルフクラブのグリップまたはシャフトに着脱自在に取り付けられる。
３）、共振具が、共振コイルであることにより、店の出口に設置したゲートで盗難品であるかを確実にチェックできる。
４）、スライド具が、押ボタンと支持ピンと圧縮スプリングと固定溝により構成され、通常押ボタンを押しても各部位は作動せず、安全装置の役割を行う。
５）、ロック具が、板バネであり、スライド具の係止溝に係止されるため容易にロック解除できない。
６）、支持ピンを斜状に形成し、押ピンにより押圧することにより、孔に挿入され、押ボタンを押すことによりロックされる。
７）、係止片と固定溝により確実にロックできる。
８）、板バネによるロック具が係止溝にて固定され、押ボタンを押し、係止溝から板バネの先端を解除し、磁石にてロック解除するもので、第３者では容易にロック解除できないものである。
【図面の簡単な説明】
【００１０】
【図１】  本発明のゴルフクラブ用盗難防止具の一実施例を示す構成図。
【図２】  本発明のゴルフクラブ用盗難防止具の一実施例を示す斜視図。
【図３】  本発明のゴルフクラブ用盗難防止具の一実施例を示す開放平面図。
【図４】  本発明のゴルフクラブ用盗難防止具の一実施例を示すスライド具の斜視図。
【図５】  本発明のゴルフクラブ用盗難防止具の一実施例を示すスライド具の作動状態断面図。
【図６】  本発明のゴルフクラブ用盗難防止具の一実施例を示すロック具の作動状態断面図。
【図７】  本発明のゴルフクラブ用盗難防止具の一実施例を示す固定溝と係止片のロック状態断面図。
【図８】  本発明のゴルフクラブ用盗難防止具の一実施例を示すシャフト用取付具を外した状態断面図。
【図９】  本発明のゴルフクラブ用盗難防止具の一実施例を示すゴルフクラブのグリップへの取付状態図。
【図１０】  本発明のゴルフクラブ用盗難防止具の一実施例を示す保持具本体にシャフト用取付具を内設した状態断面図。
【図１１】  本発明のゴルフクラブ用盗難防止具の一実施例を示すゴルフクラブのシャフトへの取付状態図。
【図１２】  本発明のゴルフクラブ用盗難防止具の一実施例を示すロック具解除手順断面図。
【図１３】  本発明のゴルフクラブ用盗難防止具の一実施例を示すスライド具解除手順断面図。
【発明を実施するための形態】
【００１１】  １は、ゴルフクラブのシャフトまたはグリップに着脱自在に取り付けるゴルフクラブ用盗難防止具である。
２は、内面に凹凸面を有してなる半円弧状の保持具取付部２ａ１と共振具収納部２ａ２とを設けると共に、側面に水平方向に突設した係止片２ａ３を設け、下面中央付近に押ピン２ａ４を水平方向に突設してなる防止具第１ケース２ａと、凹凸面を有してなる半円弧状の保持具取付具２ｂ１とロック機構収納部２ｂ２を設けてなる防止具第２ケース２ｂとを連結部２ａ５・２ｂ３に、棒２ｃを差し込み開閉自在に形成してなる防止具ケースである。
３ａ・３ｂは、弾性体による外面に凹凸面を有してなる半円弧状の保持具本体で、上下にシャフトの上部やグリップを保持するヒダ３ａ１・３ｂ１を突設し、中央付近に空洞部３ａ２・３ｂ２を形成している。
４ａ・４ｂは、弾性体による外面に凹凸面を有してなる半円弧状のシャフト用取付具で、内周をヒダ３ａ１・３ｂ１より突設すべく空洞部３ａ２・３ｂ２に着脱自在に内設してある。
５は、スライド具で、上部に押ボタン５ａを、下部には斜状に形成した支持ピン５ｂ及び圧縮スプリング５ｃを設け、側面に係止片２ａ３に対応する固定溝５ｄを設けてあり、背面にロック具をロック及び解除すべく係止溝５ｅを形設してある。
６は、ロック具で、板バネにより係止溝５ｅに係止する係止板６ａ・６ａを設けてある。
７は、共振具収納部２ａ２内に設けてなる共振コイルによる共振具である。
８は、共振具収納部２ａ２に取り付けるカバーである。
なお、支持ピン５ｂを挿入する孔２ｂ４を防止具第２ケースの底面に穿設してある。（図１・図２参照）
【００１２】  つぎに、ゴルフクラブ用盗難防止具１が開放状態（解除）の動きを説明する。
まず、ゴルフクラブ用盗難防止具１は、防止具ケース２の防止具第１ケース２ａと防止具第２ケースを開いた状態にある。（図３参照）
防止具第１ケース２ａと防止具第２ケース２ｂを閉じた状態で、スライド具５の支持ピン５ｂは斜状のままに形成してあり、真下に防止具第２ケースの孔２ｂ４を設けてある。（図４参照）
【００１３】  つぎに、ゴルフクラブに取り付ける手順について説明する。
ゴルフクラブのシャフトあるいはグリップに取り付けるべく、まず、防止具ケース２を開いた状態で、シャフトあるいはグリップを挟持すべ差し入れる。
つぎに、防止具ケース２を閉じることにより、押ピン２ａ４が支持ピン５ｂを押し、孔２ｂ４の上位に位置させる。
つづいて、スライド具５の押ボタン５ａを押すことにより、孔２ｂ４に支持ピン５ｂの先端部を挿入し、ロックする。（図５参照）
【００１４】    同時に、スライド具５の圧縮スプリング５ｃが押圧され、ロック具６の係止板６ａの先端が係止溝５ｅに係止されロックされる。（図６参照）
【００１５】  さらに同時に、スライド具５の固定溝５ｄと係止片２ａ３が係止固定し、ロックされる。（図７参照）
つまり、ゴルフクラブＧＫのシャフトＳの上部あるいは、グリップＧに取り付ける場合は保持具本体３ａ・３ｂのみで取り付ける。（図８・図９参照）
また、ゴルフクラブＧＫのシャフトＳの下部に取り付ける場合は、保持具本体３ｂの空洞部３ｂ２にシャフト用取付具４ｂを、保持具本体３ａの空洞部３ａ２に、シャフト用取付具４ａをそれぞれ装置して使用するものである。（図１０・図１１参照）
【００１６】  つぎに、ゴルフクラブ用盗難防止具１の解除（ロック解除）する手順について説明する。
まず、ゴルフクラブ用盗難防止具１のスライド具５の押ボタン５ａを押さえることにより、ロック具６の係止板６ａの先端が係止溝５ｅより外れる。
なお、この状態でも係止板６ａの先端が係止溝５ｅの上方に位置し、このままでは、ゴルフクラブ用盗難防止具１を開く（解除）ことはできない。
つづいて、ロック具６の背面に磁石ＧＳを近づけることにより、係止板６ａが磁石ＧＳに吸い寄せられ係止溝５ｅから完全に外れている。
この時、圧縮スプリング５ｃが戻り、スライド具５が上昇する。（図１２参照）
【００１７】  同時に、スライド具５の固定溝５ｄと係止片２ａ３が係止固定されているが磁石ＧＳを近づけることにより、圧縮スプリング５ｃにより固定溝５ｄが上昇し、係止片２ａ３より外れることによりゴルフクラブ用盗難防止具１を開く（解除）できるものである。（図１３参照）
【００１８】  上記実施例防止具ケース・保持具本体・共振具・スライド具・ロック具等の各部位において、同様な機能を有するものであれば、多少の形状変更は問題ない。
また、共振具も共振コイルに限定せず、他のものでもよい。
【符号の説明】
【００１９】  １−−−−−ゴルフクラブ用盗難防止具
２−−−−−防止具ケース
３ａ・３ｂ−保持具本体
４ａ・４ｂ−シャフト用取付具
５−−−−−スライド具
６−−−−−ロック具
７−−−−−共振具
ＧＫ−−−−ゴルフクラブ
Ｓ−−−−−シャフト
Ｇ−−−−−グリップ
ＧＳ−−−−磁石
【図１】
2013230337.tif 000003
【図２】
2013230337.tif 000004
【図３】
2013230337.tif 000005
【図４】
2013230337.tif 000006
【図５】
2013230337.tif 000007
【図６】
2013230337.tif 000008
【図７】
2013230337.tif 000009
【図８】
2013230337.tif 000010
【図９】
2013230337.tif 000011
【図１０】
2013230337.tif 000012
【図１１】
2013230337.tif 000013
【図１２】
2013230337.tif 000014
【図１３】
2013230337.tif 000015